(57)【特許請求の範囲】
【請求項１】
画像形成部と前記画像形成部の上方に配置された画像読取部との間に設けられ装置本体の前面側に開口する胴内排紙空間と、
前記装置本体の操作者側で、前記画像読取部の一端を支持する支柱部の前記画像読取部の操作者側に突出して設けられ前記操作者の操作を受け付ける操作情報部側に、前記胴内排紙空間の記録媒体が排出される方向に向って配置された発音手段と、を備えた、
ことを特徴とする画像形成装置。
【請求項２】
前記発音手段は、発せられた音を通過させる複数の放音孔を有する開口部材の内面側に配置されている、
ことを特徴とする請求項１に記載の画像形成装置。
【発明の詳細な説明】
【技術分野】
【０００１】
本発明は、画像形成装置に関する。
【背景技術】
【０００２】
装置本体の上段に設け、セットした読取り原稿に沿って走査してその原稿面上の画像情報を読み取るスキャナ部と、装置本体の下段に設け、そのスキャナ部で読み取った画像情報を用紙に記録する画像形成部と、装置本体の中段に設け、その画像形成部で画像情報記録後の用紙を排出してスタックする胴内排紙部とを備える画像形成装置において、胴内排紙部に向けてＦＡＸ用スピーカを設置してなる、ＦＡＸ機能を付加する画像形成装置が知られている（特許文献１）。
【先行技術文献】
【特許文献】
【０００３】
【特許文献１】特開平１０−３１３３７３号公報
【発明の概要】
【発明が解決しようとする課題】
【０００４】
本発明は、報知音の音圧の低下を抑制することができる画像形成装置を提供することを目的とする。
【課題を解決するための手段】
【０００５】
前記課題を解決するために、請求項１に記載の画像形成装置は、
画像形成部と前記画像形成部の上方に配置された画像読取部との間に設けられ装置本体の前面側に開口する胴内排紙空間と、
前記装置本体の操作者側で、前記画像読取部の一端を支持する支柱部の前記画像読取部の操作者側に突出して設けられ前記操作者の操作を受け付ける操作情報部側に、前記胴内排紙空間の記録媒体が排出される方向に向って配置された発音手段と、を備えた、
ことを特徴とする。
【０００８】
請求項２記載の発明は、請求項１に記載の画像形成装置において、
前記発音手段は、発せられた音を通過させる複数の放音孔を有する開口部材の内面側に配置されている、
ことを特徴とする。
【発明の効果】
【０００９】
請求項１に記載の発明によれば、発音手段が装置本体の操作者側で胴内排紙空間に向って配置されていない構成に比して、報知音の音圧の低下を抑制することができることができる。
請求項２に記載の発明によれば、発音手段を隠蔽しつつ報知音の音圧の低下を抑制することができる。
【図面の簡単な説明】
【００１０】
【図１】画像形成装置１の外観全体を示す斜視図である。
【図２】画像形成部２の内部構成を示す断面構成図である。
【図３】（ａ）は画像形成装置１の操作者側で読取部３の下方に視点をおいて胴内排紙空間Ｓの近傍を示す斜視図、（ｂ）は画像形成装置１の読取装置支持部４の外装部材５を除外して示す斜視図である。
【図４】胴内排紙空間Ｓに用紙後処理装置７０が装着された状態を示す正面図である。
【図５】画像形成装置１Ａの操作者側で読取部３の下方に視点をおいて胴内排紙空間Ｓの近傍を示す斜視図である。
【図６】胴内排紙空間Ｓに用紙後処理装置７０が装着された状態を操作情報部８０側に視点をおいて示す斜視図である。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１２】
「第１実施形態」
（１）画像形成装置の全体構成及び動作
図１は本実施形態に係る画像形成装置１の外観全体を示す斜視図、図２は画像形成装置１の内部構成を示す断面模式図である。
以下、図面を参照しながら、画像形成装置１の全体構成及び動作を説明する。
【００１３】
（１．１）全体構成
画像形成装置１は、電子写真方式によって画像を形成する画像形成部２と、原稿等の読み取りを行う読取部３が読取装置支持部４によって画像形成部２の上方に支持されて構成されている。画像形成部２と読取部３との間には第１排出ローラ対６３及び第２排出ローラ対６４から排紙される用紙Ｐを積載する胴内排紙空間Ｓが形成されている。
【００１４】
読取装置支持部４には、装置本体の操作者側で胴内排紙空間Ｓに向って発音手段としてのスピーカ７が配置されている。
【００１５】
画像形成部２は、筐体Ｆ（不図示）が形成する内部空間に、制御装置１０、給紙装置２０、感光体ユニット３０、現像装置４０、転写装置５０、定着装置６０が配置され、筐体Ｆ（不図示）は分割された複数の外装部材５で覆われて構成されている。
【００１６】
読取部３の前面側には、ユーザーインターフェイスとしての操作情報部８０が配置されている。操作情報部８０は、液晶表示パネル、各種操作ボタン、タッチパネル等を組み合わせて構成され、画像形成装置１の使用者は、操作情報部８０を介して各種の設定や指示の入力を行う。また、液晶表示パネルを介して画像形成装置１の使用者へ各種情報を表示する。
【００１７】
（１．２）画像形成部
制御装置１０は、画像形成装置１の動作を制御する画像形成装置制御部１１と、印刷処理要求に応じた画像データを準備するコントローラ部１２、電源装置１３等を有する。
【００１８】
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１９】
感光体ユニット３０は、給紙装置２０の上方（Ｚ方向）に、それぞれが並列して設けられ、回転駆動する像保持体としての感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２０】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２１】
転写装置５０においてトナー像が一括転写された用紙Ｐは、トナー像が未定着の状態で搬送ガイドを経由して定着装置６０に搬送され、一対の定着ローラ６１と加圧ローラ６２により、圧着と加熱の作用でトナー像が定着される。
定着トナー像が形成された用紙Ｐは、搬送ガイドによってガイドされ、第１排出ローラ対６３、第２排出ローラ対６４から胴内排紙空間Ｓの排紙トレイＴ１、Ｔ２上に排出されて積載される。
【００２２】
（２）スピーカの配置
図３（ａ）は画像形成装置１の操作者側で読取部３の下方に視点をおいて胴内排紙空間Ｓの近傍を示す斜視図、（ｂ）は画像形成装置１の読取装置支持部４の外装部材５を除外して示す斜視図、図４は胴内排紙空間Ｓに用紙後処理装置７０が装着された状態を示す正面図である。
以下図面を参照しながら、画像形成装置１におけるスピーカ７の配置について説明する。
【００２３】
（２．１）胴内排紙空間
画像形成装置１は、側部を読取部３の支柱部としての読取装置支持部４と、第１排出ローラ対６３、第２排出ローラ対６４が画像形成部２の外側に露出した用紙排出部を覆う外装部材６で、底部を画像形成部２の排紙トレイＴ１で、上部を読取部３の下部３ａで、奥部を背面側板１０１で構成して、前部が操作者側に開口した胴内排紙空間Ｓを区画している。
【００２４】
（２．２）スピーカ
読取装置支持部４の操作者側には、胴内排紙空間Ｓに向って開口する開口部材としての外装部材５が設けられている。
外装部材５は、読取装置支持部４を構成する支柱１００を覆い、内面から外面に貫通する複数の放音孔５ａを有する。放音孔５ａは、外装部材５の内面側で支柱１００に固定されて配置されたスピーカ７から音出力される報知音を通過させ、スピーカ口径に対して５０％以上の開口率で形成されていることが望ましい。
【００２５】
図３（ｂ）に示すように、発音手段としてのスピーカ７は、読取部３の一端側を操作者側で支持する支柱１００に胴内排紙空間Ｓ側に向って配置されている。
スピーカ７は、一例として振動板７ａが半径２０ｍｍ程度の小口径のスピーカユニットであり、制御装置１０によって動作制御され、振動板７ａの裏面から発せられる音によって、操作者に異常報知やジョブ終了報知、操作のための音声ガイドなどを行う。
異常報知の例としては、読取部３の原稿送り装置における原稿詰まりやミスフィード、給紙装置２０における用紙Ｐの紙詰まりやミスフィード、画像形成部２や制御装置１０のハードウェアダウンなどがある。
【００２６】
本実施形態に係る画像形成装置１は、操作者に異常報知やジョブ終了報知、操作のための音声ガイドなどを行うスピーカ７が、装置本体の操作者側で胴内排紙空間Ｓに向って配置されている。
そのために、スピーカ７から音出力された報知音を、胴内排紙空間Ｓを区画している外装部材６、排紙トレイＴ１、読取部３の下部３ａ、背面側板１００ｂ等で反響させながら操作者側へ放音して、音圧の低下を抑制しながら操作者に確実に報知することができる。
【００２７】
スピーカ７は、胴内排紙空間Ｓ内に向って複数の放音孔５ａを有する外装部材５で外部から隠蔽されて、外装部材５の内面側で支柱１００に固定されて配置されている。
そのために、スピーカ７及び放音孔５ａが外側から視認されにくく、良好な外観品位を保つことができる。
【００２８】
（２．３）用紙後処理装置の装着
図４に示すように、画像形成装置１の胴内排紙空間Ｓ内には、第１排出ローラ対６３、第２排出ローラ対６４から排紙された用紙Ｐに対して後処理をおこなう用紙後処理装置７０が装着される場合がある。用紙後処理装置７０は、第１排出ローラ対６３、第２排出ローラ対６４から排紙された複数の用紙Ｐを束状に積載して、綴じ処理等をおこなう。
【００２９】
用紙後処理装置７０は、胴内排紙空間Ｓ内で排紙トレイＴ１の上面に載置されて設置された状態で、用紙受入面７１が読取装置支持部４とは一定の間隙Ｇを有している（図４中  Ｇ参照）。
その結果、読取装置支持部４の操作者側で胴内排紙空間Ｓ側に向って配置されたスピーカ７から音出力される報知音は、用紙後処理装置７０の用紙受入面７１で反射して間隙Ｇから操作者側へ放音され、操作者に確実に報知される。
【００３０】
「第２実施形態」
（１）スピーカの配置
図５は画像形成装置１Ａの操作者側で読取部３の下方に視点をおいて胴内排紙空間Ｓの近傍を示す斜視図、図６は胴内排紙空間Ｓに用紙後処理装置７０が装着された状態を操作情報部８０側に視点をおいて示す斜視図である。
以下、図面を参照しながら、画像形成装置１Ａにおけるスピーカ７の配置について説明する。尚、第１実施形態に係る画像形成装置１と共通の構成要素には、同一の符号を付し、その詳細な説明は省略する。
【００３１】
図５に示すように、画像形成装置１Ａは、発音手段としてのスピーカ７が、読取部３から操作者側に突出して設けられた操作情報部８０の裏面側で胴内排紙空間Ｓ側に向って配置されている。
【００３２】
画像形成装置１Ａは、読取部３の操作者側に向って突出した支持部１０２が固定配置され、操作情報部８０は、本実施形態においては、支持部１０２の上面側に着脱可能に支持されている。
支持部１０２の裏面側には、内面から外面に貫通する複数の放音孔１０２ａが形成され、内面側に配置されたスピーカ７から音出力される報知音を胴内排紙空間Ｓに向って下向きに放音する。
【００３３】
支持部１０２の裏面側から音出力された報知音は、胴内排紙空間Ｓを区画している排紙トレイＴ１で反射して操作者側へ放音され、操作者に確実に報知される。
操作情報部８０を支持する支持部１０２の裏面側に形成された複数の放音孔１０２ａは、胴内排紙空間Ｓに下向きに向って配置され、操作者側から視認されにくく、良好な外観品位を保つことができる。
【００３４】
図６に示すように、画像形成装置１Ａの胴内排紙空間Ｓ内には、第１排出ローラ対６３、第２排出ローラ対６４から排紙された用紙Ｐに対して後処理をおこなう用紙後処理装置７０が装着される場合がある。用紙後処理装置７０が装着された場合、操作情報部８０の裏面側で胴内排紙空間Ｓ下方に向って配置されたスピーカ７から音出力される報知音は、用紙後処理装置７０の上面部７２で反射して操作者側へ放音され、操作者に確実に報知される。
【００３５】
第１実施形態及び第２実施形態においては、発音手段としてスピーカが配置された画像形成装置１、１Ａについて説明したが、発音手段としてブザーを用いて異常報知やジョブ終了報知を行ってもよい。
【符号の説明】
【００３６】
１、１Ａ・・・画像形成装置
２・・・画像形成部
３・・・読取部
４・・・読取装置持部
５、６・・・外装部材
５ａ、１０２ａ・・・放音孔
７・・・スピーカ
７ａ・・・振動板
１０・・・制御装置
２０・・・給紙装置
３０・・・感光体ユニット
４０・・・現像装置
５０・・・転写装置
６０・・・定着装置
７０・・・用紙後処理装置  
８０・・・操作情報部
１００・・・支柱
１０１・・・背面側板
１０２・・・支持部（操作情報部）
Ｓ・・・胴内排紙空間
【図１】
0006524816.tif 000002
【図２】
0006524816.tif 000003
【図３】
0006524816.tif 000004
【図４】
0006524816.tif 000005
【図５】
0006524816.tif 000006
【図６】
0006524816.tif 000007